(57)【要約】【課題】監視対象領域の画像をテレビ信号に変換しテレビ放送受信用の伝送線を介して端末側に伝送する監視システムにおいて、端末側では、テレビ受信装置を使って監視対象領域を自由に監視でき、しかも、異常時にはその旨を速やかに報知できるようにする。【解決手段】監視対象領域を撮像した映像信号と音声信号とをテレビ信号に変換して出力する変調ユニット２０には、侵入センサ３６にて監視対象領域へ人の侵入が検出されたときにトーン信号を発生して音声信号に混入させるトーン信号発生回路２６を設ける。端末側の復調ユニット４０には、復調した音声信号からトーン信号を検出するトーン信号検出回路４４を設け、この回路でトーン信号が検出されたときに、リモコン送信部６０から指令信号を送信して録画装置１２又はテレビ受像機１４に監視画像を録画又は表示させる。【選択図】図１
2008047958.tif 000002
【特許請求の範囲】
【請求項１】
所定の監視対象領域を撮像した映像信号から所定放送チャンネルのテレビ信号を生成する変調ユニットを備え、該変調ユニットにて生成されたテレビ信号を、テレビ放送受信システムの伝送線に流れるテレビ放送信号と混合して、該伝送線の端末側に伝送することで、該伝送線の端末側に接続されたテレビ受信装置を用いて前記監視対象領域の画像をモニタできるように構成された監視システムであって、
前記変調ユニットには、
前記監視対象領域を撮像して前記映像信号を出力する撮像手段と、
前記監視対象領域の音を音声信号に変換するマイクロフォンと、
前記監視対象領域への人の侵入を検出する侵入センサと、
を接続すると共に、
該侵入センサにて前記監視対象領域への人の侵入が検出されると、予め設定された通知時間だけ前記音声信号の周波数帯域内で変化する通知信号を発生し、該通知信号を、前記マイクロフォンからの音声信号と混合する通知信号発生手段と、
前記撮像手段からの映像信号と、前記通知信号発生手段により通知信号が混合される前記マイクロフォンからの音声信号とに基づき、前記伝送線を伝送されるテレビ放送信号とは異なる放送チャンネルのテレビ信号を生成する変調手段と、
を設け、
前記伝送線の端末側には、
前記伝送線を介して伝送されてきた信号の中から、前記変調ユニットにて生成された放送チャンネルのテレビ信号を選局して、少なくとも音声信号を復調する復調手段と、
該復調手段にて復調された音声信号の中から前記通知信号を抽出する通知信号抽出手段と、
該通知信号抽出手段にて前記通知信号が抽出されると、遠隔操作用のリモートコントロール装置を介して、前記伝送線に接続されたテレビ受信装置に対し、前記変調ユニットにて生成された放送チャンネルのテレビ信号を選局して前記映像信号及び音声信号を復調させる指令信号を送信する選局指令送信手段と、
を有する復調ユニットを設けたことを特徴とする監視システム。
【請求項２】
前記通知信号発生手段は、トーン信号若しくはパルス信号を前記通知信号として生成することを特徴とすることを特徴とする請求項１に記載の監視システム。
【請求項３】
前記選局指令送信手段は、前記リモートコントロール装置から送信させる指令信号を、前記伝送線に接続されたテレビ受信装置に対応して外部から任意に設定できるように構成されていることを特徴とする請求項１又は請求項２に記載の監視システム。
【請求項４】
前記選局指令送信手段は、前記リモートコントロール装置から、前記テレビ受信装置に前記テレビ信号を選局、復調させるための指令信号を送信させると、その後所定の報知時間が経過したときに、前記リモートコントロール装置から、前記テレビ受信装置に前記テレビ信号の選局、復調を停止させるための指令信号を送信させることを特徴とする請求項１〜請求項３の何れかに記載の監視システム。
【請求項５】
前記変調ユニットとして、複数の監視対象領域をそれぞれ監視し、互いに異なる放送チャンネルのテレビ信号を生成して出力する複数の変調ユニットを備え、
前記復調ユニットにおいて、前記復調手段は、テレビ信号の選局チャンネルを、前記各変調ユニットが生成するテレビ信号の放送チャンネルの一つに順次切り換え、前記選局指令送信手段は、前記通知信号抽出手段にて前記通知信号が抽出されると、そのとき前記復調手段が選局している放送チャンネルのテレビ信号を前記テレビ受信装置に選局させる指令信号を、前記リモートコントロール装置から送信させることを特徴とする請求項１〜請求項４の何れかに記載の監視システム。
【請求項６】
前記変調ユニットは、現在時刻を含む各種情報を表す情報画像を生成して、前記撮像手段にて撮像された画像に重畳する情報画像重畳手段を備えたことを特徴とする請求項１〜請求項５の何れかに記載の監視システム。
【発明の詳細な説明】
【技術分野】
【０００１】
本発明は、テレビ放送受信システムを利用して所定の監視対象領域を監視するのに好適な監視システムに関する。
【背景技術】
【０００２】
従来より、集合住宅等の建造物にて異常が発生したときに、その建造物におけるテレビ放送受信システムにて伝送されていない放送チャンネル（空きチャンネル）を利用して、異常報知用のテレビ信号を生成し、その生成したテレビ信号をテレビ放送受信システムの伝送線に送出することで、建造物内のテレビ受像機等で異常を確認できるようにしたセキュリティシステムが知られている（例えば、特許文献１等、参照）。
【特許文献１】特開平１０−９１８８０号公報
【発明の開示】
【発明が解決しようとする課題】
【０００３】
しかし、上記システムは、建造物で異常が生じたときに、その旨を報知するためのテレビ信号を生成して、テレビ放送受信システムの端末側に伝送するものであるため、端末側では、テレビ受像機等で、建造物内で異常があったことは知ることができるものの、異常があった場所を画像で確認することはできなかった。特に、個人の住宅等では、玄関や勝手口等に不審者が近づいたときに、その状況を画像で確認したい、という要求があるが、上記システムでは、こうした要求に応えることができなかった。
【０００４】
そこで、本願発明者らは、不審者が近付きやすい玄関等の画像を、既存のテレビ放送受信システムを利用して確認できるようにするために、玄関等、不審者を監視すべき監視対象領域に、その領域の画像を撮像するカメラを設け、このカメラにて撮像された画像（つまり映像信号）を用いて、空きチャンネルのテレビ信号を生成し、そのテレビ信号を、テレビ放送受信システムの伝送線上に送出することを考えた。
【０００５】
ところで、この種の監視システムを実際に構築する場合、上記提案のシステムのように、異常時（つまり監視対象領域に人が侵入したとき）にだけ、テレビ信号を生成して、テレビ放送受信システムの伝送線上に流すようにすると、使用者は、テレビ受像機等で監視対象領域の画像を自由に見ることができなくなる。
【０００６】
一方、監視対象領域の画像を常時テレビ信号に変換して伝送線上に流すようにすると、使用者は、テレビ受像機等でいつでも監視対象領域の画像を確認することができるようになるが、端末側では、伝送線に監視対象領域の画像を撮像したテレビ信号が流れているか否かによって監視対象領域に不審者が侵入したことを検知することができなくなる。
【０００７】
本発明は、こうした問題に鑑みなされたものであり、監視対象領域の撮像画像をテレビ信号に変換してテレビ放送受信システムの伝送線に送出することにより、端末側のテレビ受信装置で監視対象領域の状況を確認できるようにした監視システムにおいて、端末側では、テレビ受信装置を使って監視対象領域の画像を自由に確認することができ、しかも、監視対象領域に人が侵入した際には、テレビ受信装置を介してその旨を速やかに通知できるようにすることを目的とする。
【課題を解決するための手段】
【０００８】
かかる目的を達成するためになされた請求項１に記載の発明は、
所定の監視対象領域を撮像した映像信号から所定放送チャンネルのテレビ信号を生成する変調ユニットを備え、該変調ユニットにて生成されたテレビ信号を、テレビ放送受信システムの伝送線に流れるテレビ放送信号と混合して、該伝送線の端末側に伝送することで、該伝送線の端末側に接続されたテレビ受信装置を用いて前記監視対象領域の画像をモニタできるように構成された監視システムであって、
前記変調ユニットには、
前記監視対象領域を撮像して前記映像信号を出力する撮像手段と、
前記監視対象領域の音を音声信号に変換するマイクロフォンと、
前記監視対象領域への人の侵入を検出する侵入センサと、
を接続すると共に、
該侵入センサにて前記監視対象領域への人の侵入が検出されると、予め設定された通知時間だけ前記音声信号の周波数帯域内で変化する通知信号を発生し、該通知信号を、前記マイクロフォンからの音声信号と混合する通知信号発生手段と、
前記撮像手段からの映像信号と、前記通知信号発生手段により通知信号が混合される前記マイクロフォンからの音声信号とに基づき、前記伝送線を伝送されるテレビ放送信号とは異なる放送チャンネルのテレビ信号を生成する変調手段と、
を設け、
前記伝送線の端末側には、
前記伝送線を介して伝送されてきた信号の中から、前記変調ユニットにて生成された放送チャンネルのテレビ信号を選局して、少なくとも音声信号を復調する復調手段と、
該復調手段にて復調された音声信号の中から前記通知信号を抽出する通知信号抽出手段と、
該通知信号抽出手段にて前記通知信号が抽出されると、遠隔操作用のリモートコントロール装置を介して、前記伝送線に接続されたテレビ受信装置に対し、前記変調ユニットにて生成された放送チャンネルのテレビ信号を選局して前記映像信号及び音声信号を復調させる指令信号を送信する選局指令送信手段と、
を有する復調ユニットを設けたことを特徴とする。
【０００９】
次に、請求項２に記載の発明は、請求項１に記載の監視システムにおいて、前記通知信号発生手段は、トーン信号若しくはパルス信号を前記通知信号として生成することを特徴とする。
【００１０】
また、請求項３に記載の発明は、請求項１又は請求項２に記載の監視システムにおいて、前記選局指令送信手段は、前記リモートコントロール装置から送信させる指令信号を、前記伝送線に接続されたテレビ受信装置に対応して外部から任意に設定できるように構成されていることを特徴とする。
【００１１】
また、請求項４に記載の発明は、請求項１〜請求項３の何れかに記載の監視システムにおいて、前記選局指令送信手段は、前記リモートコントロール装置から、前記テレビ受信装置に前記テレビ信号を選局、復調させるための指令信号を送信させると、その後所定の報知時間が経過したときに、前記リモートコントロール装置から、前記テレビ受信装置に前記テレビ信号の選局、復調を停止させるための指令信号を送信させることを特徴とする。
【００１２】
一方、請求項５に記載の発明は、請求項１〜請求項４の何れかに記載の監視システムに対し、前記変調ユニットとして、複数の監視対象領域をそれぞれ監視し、互いに異なる放送チャンネルのテレビ信号を生成して出力する複数の変調ユニットを設けたことを特徴とする監視システムであり、前記復調ユニットにおいて、前記復調手段は、テレビ信号の選局チャンネルを、前記各変調ユニットが生成するテレビ信号の放送チャンネルの一つに順次切り換え、前記選局指令送信手段は、前記通知信号抽出手段にて前記通知信号が抽出されると、そのとき前記復調手段が選局している放送チャンネルのテレビ信号を前記テレビ受信装置に選局させる指令信号を、前記リモートコントロール装置から送信させることを特徴とする。
【００１３】
また、請求項６に記載の発明は、請求項１〜請求項５の何れかに記載の監視システムにおいて、前記変調ユニットは、現在時刻を含む各種情報を表す情報画像を生成して、前記撮像手段にて撮像された画像に重畳する情報画像重畳手段を備えたことを特徴とする。
【発明の効果】
【００１４】
請求項１に記載の監視システムは、監視対象領域に設けられる変調ユニットと、テレビ放送受信システムの伝送線の端末側に設けられる復調ユニットとから構成されている。
そして、変調ユニットにおいては、変調手段が、マイクロフォンから入力される監視対象領域の音声信号と、撮像手段から入力される監視対象領域の映像信号とに基づき、伝送線を伝送されるテレビ放送信号とは異なる放送チャンネルのテレビ信号を生成し、その生成したテレビ信号を、テレビ放送受信システムの伝送線に流れるテレビ放送信号と混合することにより、伝送線の端末側に伝送する。
【００１５】
従って、変調ユニットから放送受信システムの伝送線には、監視対象領域の映像及び音声を含むテレビ信号がリアルタイムで連続的に出力されることになり、当該システムの使用者は、伝送線に接続されたテレビ受像機を用いて、監視対象領域の状態をいつでも確認することができる。
【００１６】
また、変調ユニットには、監視対象領域に人が侵入した際に、その旨を検出するための侵入センサが設けられており、この侵入センサが監視対象領域への人の侵入を検出すると、通知信号発生手段が、予め設定された通知時間だけ音声信号の周波数帯域内で変化する通知信号を発生し、この通知信号をマイクロフォンからの音声信号と混合する。
【００１７】
一方、伝送線の端末側に接続される復調ユニットでは、復調手段が、伝送線を介して伝送されてきた信号の中から変調ユニットにて生成された放送チャンネルのテレビ信号を選局して音声信号を復調し、通知信号抽出手段が、その復調された音声信号の中から通知信号を抽出する。
【００１８】
そして、通知信号抽出手段にて通知信号が抽出されると、選局指令送信手段が、遠隔操作用のリモートコントロール装置を介して、伝送線に接続されたテレビ受信装置に対し指令信号を送信することで、変調ユニットにて生成された放送チャンネルのテレビ信号を選局して映像信号及び音声信号を復調させる。
【００１９】
従って、監視対象領域に人が侵入した際には、テレビ放送受信システムの伝送線に接続されたテレビ受信装置を、監視対象領域監視用のモニタ装置として強制的に動作させることができるようになり、使用者は、そのテレビ受信装置を用いて、監視対象領域への侵入者を確認することができる。
【００２０】
よって、本発明の監視システムによれば、例えば、変調ユニットを住宅の玄関や勝手口に設置することにより、その付近の映像及び音声をテレビ信号に変換して伝送線上に送出するようにし、更に、復調ユニット側の選局指令送信手段を、テレビ受像機に対して指令信号を送信するように構成すれば、玄関や勝手口に訪問者がきたときに、その付近の映像及び音声をテレビ受像機から出力させて、使用者に対して、その旨を速やかに報知することができるようになる。
【００２１】
また、復調ユニット側の選局指令送信手段を、テレビ放送の録画装置に対して指令信号を送信するように構成すれば、玄関や勝手口に訪問者がきたときに、その付近の映像及び音声を所定の記録媒体に自動で記録することができるようになり、使用者は、その記録された映像及び音声を再生することで、玄関や勝手口にきた訪問者を確認することができる。
【００２２】
また更に、本発明の監視システムにおいては、侵入センサが監視対象領域への侵入者を検出したことを復調ユニットに通知するための通知信号として、音声信号の周波数帯域内で変化する信号を生成し、これを音声信号に重畳することで、通知信号をテレビ信号に混入させている。
【００２３】
このため、本発明の監視システムによれば、侵入センサによる検出結果を復調ユニット側に伝えるために、専用の伝送線を配線したり、或いは、テレビ放送受信システムの伝送線を介して伝送可能な高周波信号を別途生成する必要がなく、システム構成を簡単にすることができる。
【００２４】
なお、通知信号としては、請求項２に記載のように、電話等で一般的に利用されているトーン信号や、パルス幅変調により各種情報を重畳することのできるパルス信号を利用するとよい。
【００２５】
そして、通知信号としてトーン信号を用いた場合には、復調ユニット側で、通知信号抽出手段が通知信号を抽出して、選局指令送信手段がテレビ受像機を起動させた際に、テレビ受像機にてトーン信号が音声信号として再生されることになるため、使用者には、そのトーン信号が恰もチャイムとして聞こえることになり、使用者は、テレビ受像機から離れていても、監視対象領域への人の侵入を検知することができるようになる。
【００２６】
次に、請求項３に記載の監視システムにおいては、選局指令送信手段が、リモートコントロール装置から送信させる指令信号を、伝送線に接続されたテレビ受信装置に対応して外部から任意に設定できるように構成されていることから、選局指令送信手段からの指令信号によって動作させるテレビ受信装置として、当該監視システムに対応したテレビ受信装置を用意する必要はなく、使用者が所有する任意のテレビ受信装置を用いることができる。
【００２７】
なお、このようにリモートコントロール装置から送信させる指令信号を、伝送線に接続されたテレビ受信装置に対応したものに設定するには、所謂学習リモコンに組み込まれている指令信号の学習機能を利用すればよく、本発明の選局指令送信手段は、所謂学習リモコンとして構成することにより、簡単に実現できる。
【００２８】
また次に、請求項４に記載の監視システムにおいては、選局指令送信手段が、リモートコントロール装置から指令信号を送信させることにより、テレビ受信装置に変調ユニットから送信されたテレビ信号の選局、復調動作を開始させると、その後所定の報知時間が経過したときに、選局指令送信手段が、再度、リモートコントロール装置から指令信号を送信させて、テレビ受信装置によるテレビ信号の選局、復調動作を停止させる。
【００２９】
このため、侵入センサが監視対象領域内への侵入者を検出したときには、伝送線に接続されたテレビ受信装置の一つが、所定の報知時間だけ、監視対象領域を撮像した映像信号及び音声信号を復調するが、その後、所定の報知時間が経過すると、テレビ受信装置が元の動作状態に復帰することになる。
【００３０】
よって、請求項４に記載の監視システムにおいては、侵入センサが監視対象領域内への侵入者を検出した際、その後使用者自らがテレビ受信装置の動作を停止又は変更するまで、テレビ受信装置が、監視対象領域を撮像した映像信号及び音声信号を復調し続け、テレビ受像機から監視対象領域の画像や音声が連続的に出力されるのを防止することができる。
【００３１】
また次に、請求項５に記載の監視システムには、複数の監視対象領域をそれぞれ監視するための複数の変調ユニットが備えられており、復調ユニット側では、復調手段が、テレビ信号の選局チャンネルを各変調ユニットが生成するテレビ信号の放送チャンネルの一つに順次切り換える。
【００３２】
そして、通知信号抽出手段にて通知信号が抽出されると、選局指令送信手段が、そのとき復調手段にて選局されている放送チャンネルのテレビ信号をテレビ受信装置に選局させるための指令信号を、リモートコントロール装置から送信させる。
【００３３】
従って、請求項５に記載の監視システムによれば、複数の監視対象領域への人の侵入を監視し、何れかの監視対象領域に人が侵入すると、その監視対象領域の画像及び音声をテレビ受信装置から出力（又は記録）させることができるようになり、例えば、住宅の玄関、勝手口、車庫、庭、…といった複数箇所の監視を自動で効率よく行うことができるようになる。
【００３４】
また、使用者は、伝送線に接続されたテレビ受信装置を操作することにより、各監視対象領域毎に設置された変調ユニットからのテレビ信号のうち、所望放送チャンネルのテレビ信号を選局させて、その選局テレビ信号に対応した監視対象領域の画像及び音声を出力（又は録画）させることができることから、請求項５に記載の監視システムは、使用者にとってより使い勝手のよい監視システムとなる。
【００３５】
なお、請求項６に記載のように、変調ユニットに情報画像重畳手段を設け、現在時刻を含む各種情報を表す情報画像を、撮像手段による撮像画像に重畳させるようにすれば、変調ユニットにて生成されたテレビ信号を一旦録画して、その後再生させた際に、その再生画像中に、監視対象領域を撮影したときの日時や監視対象領域の場所等を表す情報画像も同時に表示されることになるので、その再生画像からこれらの情報を読み取ることができ、例えば、監視対象領域に泥棒が侵入したような場合に、そのときの状況をより詳細に把握して、犯人探しに利用することができる。
【発明を実施するための最良の形態】
【００３６】
以下に、本発明の実施形態を図面と共に説明する。
図１は本発明が適用された実施形態の監視システム全体の構成を表すブロック図である。
【００３７】
本実施形態の監視システムは、受信アンテナ２で受信されたテレビ放送信号を、伝送線としての同軸ケーブル６やその同軸ケーブル６に設けられた増幅器４、分配器８等を介して、建造物内の各部屋に設けられた録画装置１２やテレビ受像機１４まで伝送するテレビ放送受信システムを利用して、建造物の玄関等、所定の監視対象領域を撮像した画像（以下、監視画像ともいう）を配信するものである。
【００３８】
このため、図１に示すように、本実施形態の監視システムには、監視画像を撮像するためのテレビカメラ３４と、監視対象領域への第三者の不正侵入を検出する侵入センサ３６と、変調ユニット２０とが備えられている。
【００３９】
テレビカメラ３４は、監視画像を撮像して映像信号を出力するものであるが、このテレビカメラ３４には、監視対象領域の音声を取り込むためのマイクロフォン（以下単にマイクという）３２も内蔵されている。そして、このマイク３２からの音声信号は、映像信号と共に、変調ユニット２０に入力される。
【００４０】
また、侵入センサ３６は、光を投受光するフォトカプラや、超音波センサ等を利用して、監視対象領域での人の通過を検出することにより、監視対象領域への人の侵入を検出するためのものであり、その検出信号も変調ユニット２０に入力される。
【００４１】
変調ユニット２０には、テレビカメラ３４から入力される映像信号と音声信号とを取り込み、所定放送チャンネルのテレビ信号を生成する変調器２２と、この変調器２２にて生成されるテレビ信号の放送チャンネルを、受信アンテナ２で受信されるテレビ放送信号とは異なる放送チャンネルに手動で設定するためのチャンネル設定スイッチ（ＣＨ設定ＳＷ）２３が設けられている。
【００４２】
そして、変調器２２にて生成されたテレビ信号は、電源分離フィルタ２８を介して、同軸ケーブル６に設けられた混合器１６に出力され、この混合器２２にて、受信アンテナ２から同軸ケーブル６に送出された受信信号（テレビ放送信号）と混合されて、テレビ放送受信システムの端末側まで伝送される。
【００４３】
このため、本実施形態では、テレビ放送受信システムの端末装置として利用されるテレビ受信装置であれば、建造物のどこに設置された受信装置であっても、テレビ放送の選局チャンネルを、変調器２２が生成するテレビ信号の放送チャンネルに合わせることで、監視画像をいつでも確認することができるようになる。
【００４４】
次に、変調ユニット２０に設けられた電源分離フィルタ２８は、後述の復調ユニット４０から分配器８、同軸ケーブル６、混合器１６等を介して伝送されてきた直流の電圧信号を電源回路２９側に分離し、その電圧信号が変調器２２に入力されるのを防止するためのものである。
【００４５】
そして、電源回路２９は、この電源分離フィルタ２８から入力される電圧信号を用いて、直流定電圧を生成し、これを電源電圧として、変調ユニット２０の内部回路や、テレビカメラ３４、侵入センサ３６等に供給する。
【００４６】
また、変調ユニット２０には、侵入センサ３６から監視対象領域へ人が侵入したことを表す検出信号が入力されると、その後一定時間（通知時間）だけパルス信号を発生する単安定マルチバイブレータ２４と、この単安定マルチバイブレータ２４から出力されるパルス信号を受けて、一定の通知時間だけ所定の音色のトーン信号を発生するトーン信号発生回路２６とが設けられている。そして、このトーン信号発生回路２６が発生したトーン信号は、テレビカメラ３４のマイク３２から入力される音声信号に混合されて変調器２２に入力される。なお、このトーン信号は、本発明の通知信号に相当する。
【００４７】
従って、侵入センサ３６にて監視対象領域への人の侵入が検出されて、トーン信号発生回路２６からトーン信号が出力されると、そのトーン信号が、変調器２２にて生成されるテレビ信号に音声信号として混入されることになる。
【００４８】
次に、テレビ放送受信システムの端末側には、侵入センサ３６にて監視対象領域への人の侵入が検出されたときに、テレビ放送受信システムの端末装置の一つである録画装置１２若しくはテレビ受像機１４を強制的に動作させて、そのときテレビカメラ３４で撮像されている監視画像をテレビ受像機１４に表示させたり、或いは、監視画像を録画装置１２に録画させる復調ユニット４０が設けられている。
【００４９】
この復調ユニット４０には、同軸ケーブル６を介して伝送されてくる各種テレビ放送信号の中から、変調器２２にて生成されたテレビ信号を選局して、映像及び音声信号を復調する復調器４２と、この復調器４２にて復調された音声信号にトーン信号発生回路２６が発生した特定の音色のトーン信号が含まれているか否かを判定するトーン信号検出回路４４と、このトーン信号検出回路４４にてトーン信号発生回路２６が発生した特定の音色のトーン信号が含まれていると判定されると、リモートコントロール装置としてのリモコン送信部６０から録画装置１２若しくはテレビ受像機１４を遠隔操作するための指令信号を送信させて、これらのテレビ受信装置に、変調ユニット２０から出力されたテレビ信号を選局して映像及び音声信号を復調させる制御回路５０と、が設けられている。
【００５０】
なお、制御回路５０は、ＣＰＵ、ＲＯＭ、ＲＡＭ等からなるマイクロコンピュータ（マイコン）にて構成されている。また、復調ユニット４０は、復調器４２で復調された映像信号及び音声信号を外部のモニタ装置等に出力できるようにされている。
【００５１】
また次に、復調ユニット４０には、トーン信号検出回路４４にて特定の音色のトーン信号が検出されたとき（換言すれば、侵入センサ３６にて監視対象領域への人の侵入が検出されたとき）に、その旨を音及び光にて周囲に報知するための警報音発生装置４７や警報ランプ４６、これら各部を駆動する駆動回路４８、電源プラグ５２を介して商用電源（交流電圧）を取り込み、内部回路駆動用の直流定電圧を生成する電源回路５４、も設けられている。
【００５２】
なお、この電源回路５４は、内部回路駆動用の電源電圧とは別に、同軸ケーブル６を介して変調ユニット２０に電源供給を行うための電圧信号（直流）を生成する。そして、その生成した電圧信号は、電源分離フィルタ５６を介して、同軸ケーブル６上に送出され、同軸ケーブル６、分配器８、混合器１６等を介して変調ユニット２０まで伝送される。
【００５３】
また、復調ユニット４０には、録画装置１２やテレビ受像機１４を制御するためにリモコン送信部６０から送信させる指令信号を、これら各装置に付属のリモコン装置１８からの送信信号を用いて学習するためのリモコン受信部６２や、リモコン受信部６２を用いた指令信号の学習等、制御回路５０の各種動作を手動で設定するための操作部６４、復調ユニット４０の動作状態を表示するための表示部６６、等も設けられている。
【００５４】
そして、復調ユニット４０において、制御回路５０は、通常時には、図２に示す監視処理を実行し、使用者が操作部６４を介してリモコン操作の学習指令を入力すると、侵入センサ３６にて監視対象領域への人の侵入が検出されたときにリモコン送信部６０から録画装置１２若しくはテレビ受像機１４に指令信号を送信させて録画装置１２若しくはテレビ受像機１４を動作させるのに必要な制御データを生成する、リモコン操作学習処理を実行する（図３参照）。
【００５５】
以下、制御回路５０にて実行されるこれら各処理について説明する。
図２に示す監視処理では、まず、Ｓ１１０（Ｓはステップを表す）にて、復調器４２に映像及び音声信号を復調させるテレビ信号の放送チャンネル（復調ＣＨ）や、リモコン送信部６０を介して録画装置１２又はテレビ受像機１４を制御するのに必要な制御データＤ１、Ｄ２をメモリから読み込む。
【００５６】
なお、この２つの制御データＤ１、Ｄ２は、後述のリモコン操作学習処理にて生成されるものであり、一方の制御データＤ１は、侵入センサ３６により監視対象領域への人の侵入が検出されたときに、録画装置１２又はテレビ受像機１４を動作させて、テレビカメラ３４により撮像された監視画像を録画若しくは表示させる制御開始用のデータを表し、制御データＤ２は、録画装置１２による監視画像の録画動作若しくはテレビ受像機１４による監視画像の表示動作を停止させる制御終了用のデータを表す。
【００５７】
次に、Ｓ１２０では、復調器４２の選局チャンネルを、Ｓ１１０でメモリから読み込んだ復調ＣＨに設定することで、復調器４２に対し、変調ユニット２０から出力されたテレビ信号を選局、復調させ、続くＳ１３０にて、トーン信号検出回路４４からの検出信号に基づき、侵入センサ３６にて、監視対象領域への人の侵入が検出されたか否かを判定する。
【００５８】
このＳ１３０の処理は、侵入センサ３６にて監視対象領域への人の侵入が検出されて、トーン信号検出回路４４にてトーン信号発生回路２６が発生したトーン信号が検出されるまで繰り返し実行され、侵入センサ３６にて監視対象領域への人の侵入が検出されたと判断すると、Ｓ１４０に移行して、警報音発生装置４７から警報音を発生させ、警報ランプ４６を点灯する（又は点滅させる）ことにより警報出力を開始し、Ｓ１５０に移行する。
【００５９】
そして、Ｓ１５０では、Ｓ１１０にてメモリから読み込んだ制御データＤ１に従い、リモコン送信部６０を制御することにより、テレビ受像機１４による監視画像の表示を開始させるか、或いは録画装置１２による監視画像の録画を開始させる、表示／録画開始処理を実行する。
【００６０】
またこのように、テレビ受像機１４による監視画像の表示若しくは録画装置１２による監視画像の録画を開始させると、Ｓ１６０に移行して、予め設定された報知時間が経過したか否かを判断することにより、報知時間が経過するのを待ち、１６０にて、報知時間が経過したと判断されると、Ｓ１７０に移行して、警報ランプ４６を消灯することにより警報出力を停止する。
【００６１】
そして、続くＳ１８０では、Ｓ１１０にてメモリから読み込んだ制御データＤ２に従い、リモコン送信部６０を制御することにより、テレビ受像機１４による監視画像の表示動作若しくは録画装置１２による監視画像の録画動作を停止させて、テレビ受像機１４又は録画装置１２を元の動作状態に戻す表示／録画終了処理を実行し、当該監視処理を一旦終了する。
【００６２】
次に、図３に示すリモコン操作学習処理は、上述の表示／録画開始処理（Ｓ１５０）及び表示／録画終了処理（Ｓ１８０）でリモコン送信部６０を制御するのに用いられる制御データＤ１及びＤ２を、録画装置１２やテレビ受像機１４に付属のリモコン装置１８を用いて使用者自らが設定するための処理である。
【００６３】
そして、この処理が開始されると、まずＳ２１０にて、使用者に対して、録画装置１２又はテレビ受像機１４に監視画像の録画又は表示を開始させる際のリモコン操作を行うように促す操作案内を表示部６６に表示する。
【００６４】
すると、使用者は、リモコン装置１８を実際に操作して、録画装置１２又はテレビ受像機１４に監視画像の録画又は表示を開始させる指令信号をリモコン受信部６２に送信してくるので、続くＳ２２０では、リモコン受信部６２からの受信信号（詳しくはリモコン装置１８から指令信号として出力された赤外光の発生パターン）をサンプリングする。
【００６５】
そして、続くＳ２３０では、使用者が操作部６４を操作してリモコン操作の終了を指示してきたか否かを判断し、操作終了指示がなければ、受信信号のサンプリング動作を継続するために再度Ｓ２２０に移行し、操作終了指示があれば、Ｓ２４０に移行して、Ｓ２２０でサンプリングしたサンプリングデータ（指令信号の発生パターン）を、表示／録画開始処理実行時にリモコン送信部６０から指令信号を送信させるための制御データＤ１としてメモリに記憶する。
【００６６】
次に、続くＳ２５０では、使用者に対して、録画装置１２又はテレビ受像機１４に監視画像の録画又は表示を終了させる際のリモコン操作を行うように促す操作案内を表示部６６に表示する。
【００６７】
すると、使用者は、リモコン装置１８を実際に操作して、録画装置１２又はテレビ受像機１４に監視画像の録画又は表示を終了させる指令信号をリモコン受信部６２に送信してくるので、続くＳ２６０では、リモコン受信部６２からの受信信号（指令信号の発生パターン）をサンプリングする。
【００６８】
そして、続くＳ２７０では、使用者が操作部６４を操作してリモコン操作の終了を指示してきたか否かを判断し、操作終了指示がなければ、受信信号のサンプリング動作を継続するために再度Ｓ２６０に移行し、操作終了指示があれば、Ｓ２８０に移行して、Ｓ２６０でサンプリングしたサンプリングデータ（指令信号の発生パターン）を、表示／録画終了処理実行時にリモコン送信部６０から指令信号を送信させるための制御データＤ２としてメモリに記憶する。
【００６９】
このように制御データＤ１、Ｄ２がメモリに記憶されると、今度は、Ｓ２９０にて、表示部６６に動作確認要否の入力案内を表示することにより、使用者に対し、制御データＤ１、Ｄ２を用いて録画装置１２又はテレビ受像機１４を実際に制御する動作確認処理を実行するか否かを問い合わせる。
【００７０】
そして、続くＳ３００では、上記入力案内に従い使用者が操作部６４を操作して動作確認を行うことを指示したか否かを判断し、動作確認を行うことが指示されていれば、Ｓ３１０に移行して、制御データＤ１、Ｄ２に従いリモコン送信部６０を所定時間を空けて順に制御することで、リモコン送信部６０から、表示／録画開始指令及び表示／録画終了指令を送信させる。この結果、使用者は、録画装置１２又はテレビ受像機１４の動作を確認することで、リモコン操作を正常に学習させることができたか否かを判断できる。
【００７１】
このようにＳ３１０にてリモコン送信部６０から表示／録画開始指令及び表示／録画終了指令を送信させるか、或いは、Ｓ３００にて動作確認を行うことが指示されていないと判断されると、Ｓ３２０に移行して、表示部６６に学習動作終了可否の入力案内を表示することにより、使用者に対し、制御データＤ１、Ｄ２の再設定を行うか或いは当該学習処理を終了するかを問い合わせる。
【００７２】
そして、続くＳ３３０では、その入力案内に従い使用者が操作部６４を操作して学習処理の終了を指示したか否かを判断し、学習処理の終了が指示されていれば、そのまま当該処理を終了し、逆に学習処理の終了が指示されていなければ、再度Ｓ２１０に移行して、上記一連の学習処理を再度実行する。
【００７３】
以上説明したように、本実施形態の監視システムでは、変調ユニット２０が、監視対象領域を撮像した映像信号と音声信号とからテレビ信号を常時生成し、その生成したテレビ信号を、テレビ放送受信システムの端末側に伝送するようにされているので、同軸ケーブル６を介してテレビ放送受信システムに接続されたテレビ受信装置であれば、その設置場所や時間に制限されることなく、監視対象領域の画像をいつでも表示若しくは録画することができる。
【００７４】
また、侵入センサ３６が監視対象領域への人の侵入を検出すると、変調ユニット２０にて生成されるテレビ信号の音声にトーン信号が混入され、復調ユニット４０は、そのトーン信号から監視対象領域への人の侵入を検出して、予め登録された制御データＤ１、Ｄ２を使って、録画装置１２又はテレビ受像機１４に監視画像を録画又は表示させる。このため、使用者は、監視対象領域に人が侵入した際に、テレビ受像機１４に表示される監視画像、若しくは、録画装置１２に録画された監視画像から、監視対象領域の状態を確認することができる。
【００７５】
また、監視対象領域に人が侵入したときに監視画像をテレビ受像機１４に表示させるか、或いは録画装置１２に録画させるかは、これら各テレビ受信装置のリモコン装置１８を使って制御データＤ１、Ｄ２を学習させることにより任意に設定できることから、使い勝手を向上できる。
【００７６】
つまり、例えば、監視画像をテレビ受像機１４に表示させる場合、テレビ受像機１４の電源がオフ状態であれば、図４（１）に示すように、表示開始時には、テレビ受像機１４の電源をオンして、その選局チャンネルを変調ユニットから出力されるテレビ信号の放送チャンネルに設定し、表示終了時には、選局チャンネルをテレビ放送の放送チャンネルに変更して、テレビ受像機１４の電源をオフする必要があるが、テレビ受像機１４の電源がオン状態であれば、図４（２）に示すように、表示開始時には、テレビ受像機１４の選局チャンネルを変調ユニットから出力されるテレビ信号の放送チャンネルに変更し、表示終了時には、選局チャンネルをテレビ放送の放送チャンネルに変更するだけでよい。
【００７７】
また、監視画像を録画装置１２に録画させる場合にも、図４（３）又は（４）に示すように、録画装置１２の電源がオン状態であるかオフ状態であるかによって、録画開始時及び録画終了時の操作が異なる。また、監視画像の録画又は表示を終了させたときの録画装置１２又はテレビ受像機１４の動作をどのようにすべきかは、使用者の好みによって大きく異なる。
【００７８】
しかし本実施形態の復調ユニット４０は、こうした一連の操作を、リモコン操作の学習動作によって、任意に設定できることから、使用者にとって極めて使い勝手のよい装置となり得る。
【００７９】
なお、本実施形態においては、テレビカメラ３４が本発明の撮像手段に相当し、トーン信号発生回路２６が本発明の通知信号発生手段に相当し、変調器２２が本発明の変調手段に相当し、復調器４２が本発明の復調手段に相当し、トーン信号検出回路４４が本発明の通知信号抽出手段に相当し、制御回路５０が本発明の選局指令送信手段に相当する。
【００８０】
以上本発明の一実施形態について説明したが、本発明は、上記実施形態に限定される者ではなく、本発明の要旨を逸脱しない範囲内にて種々の態様を採ることができる。
例えば、上記実施形態では、監視システムを構成する変調ユニット２０は一つであるものとして説明したが、図５に示すように、異なる監視対象領域毎に設置した複数の変調ユニット２０を混合器１６を介して同軸ケーブルに接続するようにしてもよい。
【００８１】
但し、この場合、各変調ユニット２０において、ＣＨ設定スイッチ２３を介して変調器２２の変調チャンネルを設定する際、各変調ユニット２０から出力されるテレビ信号の放送チャンネルが重なることのないように設定する必要がある。
【００８２】
そして、この場合、復調ユニット４０の制御回路５０のメモリには、各変調ユニット２０が出力するテレビ信号の放送チャンネルを復調器４２の復調チャンネルとして記憶しておき、制御回路５０側では、図２に示した監視処理を、その記憶した各復調チャンネル毎に、時分割で実行するように構成すればよい。
【００８３】
また、この場合、各監視処理の実行時にリモコン送信部６０から送信させる指令信号によって、テレビ受信装置（録画装置１２又はテレビ受像機１４）側で、復調器４２の復調チャンネルに対応するテレビ信号が選局されるようにする必要があることから、図３に示したリモコン操作学習処理についても、各変調ユニット２０毎に実行することで、各監視処理で用いる制御データＤ１，Ｄ２を、各変調ユニット２０が出力するテレビ信号の放送チャンネルに対応させる必要はある。
【００８４】
また次に、上記実施形態では、マイク３２からの音声信号に混入させる通知信号には、トーン信号を用いるものとして説明したが、図５に示すように、変調ユニット２０には、トーン信号発生回路２６に代えて、所定のパルス列を発生するパルス列発生回路２７を設けることで、音声信号にパルス信号を混入させるようにしてもよい。
【００８５】
そして、この場合、図５に示すように、復調ユニット４０には、トーン信号検出回路４４に代えて、パルス列検出回路４５を設け、このパルス列検出回路４５では、復調器４２で復調された音声信号の中から、パルス列発生回路２７が発生したパルス列を検出するように構成すれば、制御回路５０での監視処理を上記実施形態と同様に実行することができるようになる。
【００８６】
なお、この場合、パルス列発生回路２７が発生するパルス列の変動周期は、音声信号の周波数範囲内に設定する必要はある。
また、図５に示すように、変調ユニット２０には、情報画像重畳手段として、現在の時刻や日付、監視対象領域の場所等を表す各種情報を監視情報として生成する監視情報発生回路３７と、テレビカメラ３４にて撮像された画像に監視情報が重なるように、テレビカメラ３４にて入力された映像信号を加工する画像合成回路（所謂スーパーインポーズ回路）３９とを設け、この画像合成回路３９から出力される映像信号を変調器２２に入力するようにしてもよい。
【００８７】
そして、このようにすれば、テレビ受像機１４に表示された監視画像又は録画装置１２に録画された監視画像から、監視対象領域に不審者が侵入した日時や、不審者が侵入した監視対象領域を、簡単に把握することができることになり、この点でも監視システムの使い勝手を向上できる。
【図面の簡単な説明】
【００８８】
【図１】実施形態の監視システムの全体構成を表すブロック図である。
【図２】実施形態の制御回路にて実行される監視処理を表すフローチャートである。
【図３】実施形態の制御回路にて実行されるリモコン操作学習処理を表すフローチャートである。
【図４】リモコン操作学習処理で学習させる操作内容の一例を表す説明図である。
【図５】監視システムの他の構成例を表すブロック図である。
【符号の説明】
【００８９】
２…受信アンテナ、４…増幅器、６…同軸ケーブル、８…分配器、１２…録画装置、１４…テレビ受像機、１６…混合器、１８…リモコン装置、２０…変調ユニット、２２…混合器、２２…変調器、２３…ＣＨ設定スイッチ、２４…単安定マルチバイブレータ、２６…トーン信号発生回路、２７…パルス列発生回路、２８…電源分離フィルタ、２９…電源回路、３２…マイク、３４…テレビカメラ、３６…侵入センサ、３７…監視情報発生回路、３９…画像合成回路、４０…復調ユニット、４２…復調器、４４…トーン信号検出回路、４５…パルス列検出回路、４６…警報ランプ、４７…警報音発生装置、４８…駆動回路、５０…制御回路、５２…電源プラグ、５４…電源回路、５６…電源分離フィルタ、６０…リモコン送信部、６２…リモコン受信部、６４…操作部、６６…表示部。
【図１】
2008047958.tif 000003
【図２】
2008047958.tif 000004
【図３】
2008047958.tif 000005
【図４】
2008047958.tif 000006
【図５】
2008047958.tif 000007